(57)【要約】【課題】従来のシステムでは、楽曲の出力中に、当該音楽に応じた画像を出力できなかった。【解決手段】音楽が格納される音楽格納部と、音楽の出力指示を受け付ける出力指示受付部と、出力指示に応じて、音楽を出力する音楽出力部と、音楽の分析結果に基づく１以上の属性値を取得する属性値取得部と、１以上の属性値を用いて、画像を取得する画像取得部と、画像を出力する画像出力部とを具備する音楽画像出力装置により、楽曲の出力中に、当該音楽に応じた画像を出力できる。【選択図】図１
2018136363.tif 000002
【特許請求の範囲】
【請求項１】
音楽が格納される音楽格納部と、
音楽の出力指示を受け付ける出力指示受付部と、
前記出力指示に応じて、前記音楽を出力する音楽出力部と、
前記音楽の分析結果に基づく１以上の属性値を取得する属性値取得部と、
前記１以上の属性値を用いて、画像を取得する画像取得部と、
前記画像を出力する画像出力部とを具備する音楽画像出力装置。
【請求項２】
ユーザに関するユーザ情報が格納されるユーザ情報格納部をさらに具備し、
前記画像取得部は、
前記１以上の属性値と前記ユーザ情報とを用いて、画像を取得する請求項１記載の音楽画像出力装置。
【請求項３】
出力する画像を切り替える切替条件が格納される条件格納部と、
前記切替条件を満たすか否かを判断する判断部とをさらに具備し、
前記画像取得部は、
前記判断部が切替条件を満たすと判断した場合に、新たな画像を取得し、
前記画像出力部は、
前記新たな画像を出力する請求項１または請求項２記載の音楽画像出力装置。
【請求項４】
前記判断部は、
前記音楽の１以上の特徴量を取得する特徴量取得手段と、
前記１以上の特徴量を用いて、前記音楽の中の１以上の変化点を決定する変化点決定手段とを具備し、
前記画像出力部は、
前記音楽の前記変化点の出力時に新たな画像を出力する請求項３記載の音楽画像出力装置。
【請求項５】
前記画像取得部は、
一の音楽の出力中に２以上の異なる画像であり、連続して再生する画像間の予め決められた連続再生条件を満たす２以上の異なる画像を取得する請求項３または請求項４記載の音楽画像出力装置。
【請求項６】
前記音楽は歌詞を有する、または歌詞に対応付いており、
前記属性値取得部は、
前記音楽の音および歌詞を分析し、１以上の属性値を取得する請求項１から請求項５いずれか一項に記載の音楽画像出力装置。
【請求項７】
前記属性値取得部は、
前記音楽を分析し、表面的場面を識別する情報、内面的場面を識別する情報、印象を識別する情報のうちのいずれかである１以上のメタデータを取得する請求項１から請求項６いずれか一項に記載の音楽画像出力装置。
【請求項８】
ユーザからの反応を示す反応情報を受け付ける反応情報受付部と、
前記反応情報が肯定的である場合は当該反応情報に対する音楽または画像のうちの１以上が出力されやすくなるように学習し、前記反応情報が否定的である場合は当該反応情報に対する音楽または画像のうちの１以上が出力されにくくなるように学習する学習部とをさらに具備し、
前記音楽出力部または前記画像出力部が、前記学習部における学習結果に応じて、音楽または画像を出力する請求項１から請求項７いずれか一項に記載の音楽画像出力装置。
【請求項９】
前記反応情報受付部が受け付けた２以上の反応情報に基づいて、１以上の音楽と画像との組の情報を選択する選択部と、
前記選択部が選択した１以上の音楽と画像との組の情報を１以上のユーザ端末に送信する推薦部とをさらに具備する請求項８記載の音楽画像出力装置。
【請求項１０】
前記１以上の属性値を用いて、画像の切り替え時のエフェクトを決定するエフェクト決定部と、
前記画像出力部は、
前記エフェクト決定部が決定したエフェクトに従って、前の画像を終了し、新しい画像の出力を開始する請求項３記載の音楽画像出力装置。
【請求項１１】
記録媒体は、
音楽が格納される音楽格納部を具備し、
出力指示受付部、音楽出力部、属性値取得部、画像取得部、および画像出力部によって実現される音楽画像出力方法であって、
前記出力指示受付部が、音楽の出力指示を受け付ける出力指示受付ステップと、
前記音楽出力部が、前記出力指示に応じて、前記音楽を出力する音楽出力ステップと、
前記属性値取得部が、前記音楽の分析結果に基づく１以上の属性値を取得する属性値取得ステップと、
前記画像取得部が、前記１以上の属性値を用いて、画像を取得する画像取得ステップと、
前記画像出力部が、前記画像を出力する画像出力ステップとを具備する音楽画像出力装置。
【請求項１２】
コンピュータがアクセス可能な記録媒体は、
音楽が格納される音楽格納部を具備し、
前記コンピュータを、
音楽が格納される音楽格納部と、
音楽の出力指示を受け付ける出力指示受付部と、
前記出力指示に応じて、前記音楽を出力する音楽出力部と、
前記音楽の分析結果に基づく１以上の属性値を取得する属性値取得部と、
前記１以上の属性値を用いて、画像を取得する画像取得部と、
前記画像を出力する画像出力部として機能させるためのプログラム。
【発明の詳細な説明】
【技術分野】
【０００１】
本発明は、画像を音楽と共に出力する音楽画像出力装置等に関するものである。
【背景技術】
【０００２】
従来、楽曲の印象を音響特徴量から推定し、推定した印象に基づく楽曲検索を行うシステムが存在した（例えば、非特許文献１参照）。
【０００３】
このシステムは、音響信号から抽出された音響特徴量と、被験者実験によって得られた楽曲の印象との関係を学習し、学習した楽曲の印象を、Ｖ−Ａ（Valence(快-不快)-Arousal(興奮-弛緩)軸）平面上の座標（印象座標）で表現する。また、このシステムは、未知の楽曲の音響特徴量を入力とし、Ｖ−Ａ平面上の印象座標を推定する。さらに、このシステムは、ユーザの付した楽曲印象を検索キーとして用いることで、検索キーと類似する印象の楽曲を選出する。
【０００４】
このシステムによれば、ユーザがそのときの気分によって聴きたい曲を検索することや、ユーザの聴いた楽曲の印象に類似する楽曲を選出して提示することなどが可能となる。
【先行技術文献】
【非特許文献】
【０００５】
【非特許文献１】「音響特徴量を用いた楽曲印象分布の推定」、絵本詩織ほか、情報処理学会第７６回全国大会講演論文集（２０１４年３月１１日発行）、第３９１〜３９２頁
【発明の概要】
【発明が解決しようとする課題】
【０００６】
しかし、上記従来のシステムでは、楽曲の出力中に、当該楽曲に応じた画像を出力できなかった。
【課題を解決するための手段】
【０００７】
本第一の発明の音楽画像出力装置は、音楽が格納される音楽格納部と、音楽の出力指示を受け付ける出力指示受付部と、出力指示に応じて、音楽を出力する音楽出力部と、音楽の分析結果に基づく１以上の属性値を取得する属性値取得部と、１以上の属性値を用いて、画像を取得する画像取得部と、画像を出力する画像出力部とを具備する音楽画像出力装置である。
【０００８】
かかる構成により、音楽の出力中に、当該音楽に応じた画像を出力できる。
【０００９】
また、本第二の発明の音楽画像出力装置は、第一の発明に対して、ユーザに関するユーザ情報が格納されるユーザ情報格納部をさらに具備し、画像取得部は、１以上の属性値とユーザ情報とを用いて、画像を取得する音楽画像出力装置である。
【００１０】
かかる構成により、音楽の出力中に、当該音楽に応じ、かつユーザにも応じた画像を出力できる。
【００１１】
また、本第三の発明の音楽画像出力装置は、第一または第二の発明に対して、出力する画像を切り替える切替条件が格納される条件格納部と、切替条件を満たすか否かを判断する判断部とをさらに具備し、画像取得部は、判断部が切替条件を満たすと判断した場合に、新たな画像を取得し、画像出力部は、新たな画像を出力する音楽画像出力装置である。
【００１２】
かかる構成により、音楽および当該音楽に応じた画像の出力中に、切替条件を満たしたことに応じて、当該画像を当該音楽に応じた新たな画像に切り替えて出力することができる。
【００１３】
また、本第四の発明の音楽画像出力装置は、第三の発明に対して、判断部は、音楽の１以上の特徴量を取得する特徴量取得手段と、１以上の特徴量を用いて、音楽の中の１以上の変化点を決定する変化点決定手段とを具備し、画像出力部は、音楽の変化点の出力時に新たな画像を出力する音楽画像出力装置である。
【００１４】
かかる構成により、音楽および当該音楽に応じた画像の出力中に、当該音楽が変化したことに応じて、当該画像を変化後の音楽に応じた新たな画像に切り替えて出力することができる。
【００１５】
また、本第五の発明の音楽画像出力装置は、第三または第四の発明に対して、画像取得部は、一の音楽の出力中に、２以上の異なる画像であり、連続して再生する画像間の予め決められた連続再生条件を満たす２以上の異なる画像を取得する音楽画像出力装置である。
【００１６】
かかる構成により、音楽および当該音楽に応じた画像の出力中に、切替条件を満たしたことに応じて、当該画像を、当該画像との間で連続再生条件を満たす新たな画像に切り替えることができる。
【００１７】
また、本第六の発明の音楽画像出力装置は、第一から第五いずれか１つの発明に対して、音楽は歌詞を有する、または歌詞に対応付いており、属性値取得部は、音楽の音および歌詞を分析し、１以上の属性値を取得する音楽画像出力装置である。
【００１８】
かかる構成により、分析の結果である１以上の属性値を用いて、音楽の出力中に、当該音楽に応じた画像を出力できる。
【００１９】
また、本第七の発明の音楽画像出力装置は、第一から第六いずれか１つの発明に対して、属性値取得部は、音楽を分析し、表面的場面を識別する情報、内面的場面を識別する情報、印象を識別する情報のうちのいずれかである１以上のメタデータを取得する音楽画像出力装置である。
【００２０】
かかる構成により、メタデータを用いて、音楽の出力中に、当該音楽に応じた画像を出力できる。
【００２１】
また、本第八の発明の音楽画像出力装置は、第一から第七いずれか１つの発明に対して、ユーザからの反応を示す反応情報を受け付ける反応情報受付部と、反応情報が肯定的である場合は反応情報に対する音楽または画像のうちの１以上が出力されやすくなるように学習し、反応情報が否定的である場合は反応情報に対する音楽または画像のうちの１以上が出力されにくくなるように学習する学習部とをさらに具備し、音楽出力部または画像出力部が、学習部における学習結果に応じて、音楽または画像を出力する音楽画像出力装置である。
【００２２】
かかる構成により、ユーザの反応に応じた出力を学習することで、音楽の出力中に、当該音楽により応じた画像であり、かつユーザにもより応じた画像を出力できる。
【００２３】
また、本第九の発明の音楽画像出力装置は、第八の発明に対して、反応情報受付部が受け付けた２以上の反応情報に基づいて、１以上の音楽と画像との組の情報を選択する選択部と、選択部が選択した１以上の音楽と画像との組の情報を１以上のユーザ端末に送信する推薦部とをさらに具備する音楽画像出力装置である。
【００２４】
かかる構成により、ユーザの反応が良い音楽および画像の組を他のユーザに推薦できる。
【００２５】
また、本第十の発明の音楽画像出力装置は、第三の発明に対して、１以上の属性値を用いて、画像の切り替え時のエフェクトを決定するエフェクト決定部と、画像出力部は、エフェクト決定部が決定したエフェクトに従って、前の画像を終了し、新しい画像の出力を開始する音楽画像出力装置である。
【００２６】
かかる構成により、音楽および当該音楽に応じた画像の出力中に、切替条件を満たしたことに応じて、当該画像を当該音楽に応じた新たな画像に切り替えて出力する際に、当該画像の末尾および新たな画像の先頭に、音楽に応じたエフェクトを加えることができる。
【発明の効果】
【００２７】
本発明による音楽画像出力装置によれば、楽曲の出力中に、当該音楽に応じた画像を出力できる。ことができる。
【図面の簡単な説明】
【００２８】
【図１】実施の形態における音楽画像出力装置のブロック図
【図２】同音楽画像出力装置１の動作を説明するフローチャート
【図３】同音楽管理情報のデータ構造図
【図４】同音楽管理情報のデータ構造図
【図５】同切替条件の内容の一例を示す図
【図６】同連続再生条件の内容を示す図
【図７】同コンピュータシステムの外観図
【図８】同コンピュータシステムの内部構成の一例を示す図
【発明を実施するための形態】
【００２９】
以下、音楽画像出力装置等の実施形態について図面を参照して説明する。なお、実施の形態において同じ符号を付した構成要素は同様の動作を行うので、再度の説明を省略する場合がある。
【００３０】
本実施の形態において、音楽の分析結果に基づく１以上の属性値（例えば、歌詞の分析結果に基づくメタデータ、音の分析結果に基づく特徴量等）が音楽に対応付けられており、当該メタデータ等を用いて取得された画像を、音楽と共に出力する音楽画像出力装置について説明する。
【００３１】
また、ユーザ情報も格納されており、メタデータ等に加えてユーザ情報も用いて選択された画像を、音楽と共に出力する音楽画像出力装置について説明する。
【００３２】
また、一つの音楽の出力中に２以上の画像を切り替えて出力する音楽画像出力装置であり、予め決められた切替条件を満たした場合に、画像を切り替える音楽画像出力装置について説明する。
【００３３】
また、切替条件は、音楽の１以上の特徴量（例えば、振幅の変化、周波数成分の変化等）が、閾値を超えるほど大きく変化することである、音楽画像出力装置について説明する。
【００３４】
また、一つの音楽の出力中に２以上の画像を切り替えて出力する音楽画像出力装置であり、２以上の画像は予め決められた連続再生条件を満たす（例えば、連続する２画像間で共通する又は対照的な属性値を有し、かつ当該２以上の全画像で共通の属性値をも有する）画像である音楽画像出力装置について説明する。
【００３５】
また、音楽の分析結果とは、音および歌詞の分析結果である、音楽画像出力装置について説明する。
【００３６】
また、メタデータは、表面的場面を識別する情報、内面的場面を識別する情報、印象を識別する情報のうちのいずれか１つまたは２以上である、音楽画像出力装置について説明する。
【００３７】
また、音楽と画像との出力に対して、ユーザからの反応情報（例えば、フィードバック）を受け付け、学習する音楽画像出力装置について説明する。
【００３８】
また、ユーザからの反応の良い音楽と画像との組を、他のユーザに推薦する音楽画像出力装置について説明する。
【００３９】
また、画像の切り替え時のエフェクト（例えば、フェードアウト、フェードイン、ズームアウト、ズームイン等）を自動決定する音楽画像出力装置について説明する。
【００４０】
図１は、本実施の形態における音楽画像出力装置１のブロック図である。音楽画像出力装置１は、例えば、イベント会場やクラブ等に設置されるＡＶＣ（オーディオ・ビジュアル・コンピュータ）システムである。ただし、音楽画像出力装置１は、例えば、ユーザ宅のＡＶＣシステムやカラオケマシンやＰＣなどでもよいし、音楽テレビ放送や通信カラオケ等のサーバでもよいし、そのタイプや所在は問わない。
【００４１】
音楽画像出力装置１は、スタンドアロンでもよいし、例えば、ＬＡＮやインターネット等のネットワーク、無線または有線の通信回線等を介して、１または２以上のユーザ端末や他の音楽画像出力装置等（いずれも図示しない）と通信可能に接続されても構わない。ユーザ端末とは、ユーザの端末であり、例えば、ユーザ宅のＰＣ、ユーザによって携帯される携帯端末などである。携帯端末は、例えば、スマートフォン、タブレット端末などであるが、そのタイプは問わない。
【００４２】
音楽画像出力装置１は、格納部１１、受付部１２、処理部１３、および出力部１４を備える。格納部１１は、音楽格納部１１１、画像格納部１１２、ユーザ情報格納部１１３、条件格納部１１４、およびエフェクト情報格納部１１５を備える。受付部１２は、出力指示受付部１２１、および反応情報受付部１２２を備える。処理部１３は、音楽取得部１３１、属性値取得部１３２、判断部１３３、画像取得部１３４、エフェクト決定部１３５、学習部１３６、選択部１３７、および推薦部１３８を備える。判断部１３３は、特徴量取得手段１３３１、および変化点決定手段１３３２を備える。出力部１４は、音楽出力部１４１、および画像出力部１４２を備える。
【００４３】
格納部１１は、各種の情報を格納し得る。各種の情報とは、例えば、後述する音楽、後述する画像、後述するユーザ情報、および後述する条件などである。格納部１１には、音楽や画像を管理するための各種の管理情報、各種の動作のタイミングを示すタイミング情報なども格納されてよい。
【００４４】
音楽格納部１１１には、音楽が格納される。音楽とは、一般に、楽器または声帯のうち１種類以上の音源から発せられる音であり、例えば、長短、高低、強弱、音色などが異なる２以上の音を、リズム、メロディー、ハーモニー等を持つように組み合わせた、音の集合であると考えることもできる。なお、音楽は、楽曲といってもよく、歌詞の有無は問わない。
【００４５】
音楽格納部１１１に格納される音楽は、通常、音楽データである。音楽データとは、例えば、楽器等から発せられる音をマイクロフォンで捉え、その音の波形を示すアナログの信号を取得し、さらに、そのアナログ信号をＡ／Ｄ変換器等でサンプリングすることにより得られるデジタルのデータである。音楽データは、例えば、ＡＣＣやＭＰ３等の音楽ファイルの形式で格納されてもよい。ただし、音楽は、例えば、上記のアナログ信号を磁気テープ等に記録したものでもよく、その態様は問わない。
【００４６】
音楽格納部１１１には、一の音楽が格納されてもよいし、２以上の音楽が格納されてもよい。一の音楽とは、通常、一曲分の音楽データである。または、一の音楽ファイルで管理される音楽データが、一の音楽であると考えることもできる。２以上の音楽は、例えば、１枚のアルバムを構成する２曲以上の音楽であってもよい。または、２以上の音楽は、同じジャンルに属する２曲以上の音楽でもよいし、異なるジャンルに属する２曲以上の音楽でもよいし、その両方を含むことは好適である。ジャンルとは、音楽の分類であり、例えば、ロック、ポップス、クラシック、器楽、声楽等であるが、これに限らない。
【００４７】
音楽には、１以上の属性値が対応付いている。なお、対応付くことは、音楽が１以上の属性値を有する場合も含む。一般に、属性値とは、音楽の属性に関する値である。属性値は、例えば、上記のようなジャンルでもよいし、ハ長調や二短調等の調性、２／２拍子や３／４拍子等のリズムなどであってもよく、その種類は問わない。
【００４８】
本実施の形態において、音楽に対応付いている１以上の属性値（以下、単に１以上の属性値と記す場合がある）とは、かかる一般的な属性値に限らず、後述する属性値取得部１３２が取得した１以上の属性値を含む。なお、詳細は後述するが、属性値取得部１３２が取得した１以上の属性値とは、例えば、「夏」、「海岸」、「ドライブ」、「デート」等の場面を特定する用語や、「嬉しい」、「寂しい」等の音楽の印象を示す情報などであってもよい。こうした用語等は、自立語と総称されてもよい。自立語は、例えば、音楽の特徴を示す文字列であってもよいし、音楽の特徴を示す特徴量であってもよい。自立語は、例えば、属性値取得部１３２が、音楽の音または歌詞のうち１以上を分析することにより得られる。
【００４９】
また、１以上の属性値は、例えば、メタデータを含んでもよい。ここでいうメタデータは、音楽に関するデータである。メタデータは、例えば、音楽に対応付けられたタグやライナーノート等に含まれる文字列であるが、これに限らない。メタデータは、例えば、ジャンル、調性、リズム等を示す用語、および歌詞などの文字列を含んでいてもよい。こうしたメタデータは、例えば、音楽に予め対応付いていてもよいし、後述する属性値取得部１３２によって取得され、音楽に対応付けられてもよい。
【００５０】
さらに、１以上の属性値は、例えば、特徴量を含んでもよい。特徴量とは、音楽の特徴を示す量である。特徴量には、歌詞の分析により得られるものと、音の分析により得られるものとがある。音の分析には、例えば、ケプストラム分析、ＭＦＣＣ（メル周波数ケプストラム係数）やＬＰＣ（線形予測符号）等による分析方法などを用いることができる。ただし、音の分析方法は問わない。また、ここで挙げた分析方法は公知であり、説明を省略する。以下では、音の分析により得られる特徴量を、音響特徴量と呼ぶ場合がある。音響特徴量は、通常、音の波形分析により得られる振幅または周波数のうち１種類以上に関する量である。音響特徴量は、例えば、振幅の変化または周波数成分の変化のうち１種類以上を示す量であることは好適である。ただし、音響特徴量は、例えば、音の波形それ自体でもよいし、音の波形に関する特徴量であれば、その種類は問わない。特徴量は、後述する特徴量取得手段１３３１によって取得され、属性値の一種として音楽に対応付けられてもよい。
【００５１】
画像格納部１１２には、２以上の画像が格納される。画像は、通常、動画であるが、例えば、静止画や、コマ送りの静止画の集合等でもよい。画像は、通常、ユーザによって撮影された画像であるが、例えば、インターネット上のＷｅｂサーバ等からダウンロードされた画像でもよい。
【００５２】
画像には、通常、メタデータが対応付いている。ここでいうメタデータは、画像に関するデータである。メタデータは、例えば、画像に対応付けられたタグ、画像に対するユーザのコメント等であるが、これに限らない。タグは、例えば、日時、場所などの情報であり、通常、当該画像の撮影に用いたカメラによって取得され、当該画像に対応付けられる。コメントは、例えば、ユーザのコンテキストを含んでいてもよい。コンテキストとは、ユーザの状況に関する情報である。コメントに含まれるコンテキストは、例えば、ユーザの置かれた場面、ユーザが画像に対して抱いた印象などに関する情報を含む。なお、場面および印象については後述する。
【００５３】
また、画像には、上記のようなメタデータを含む１以上の属性値が対応付いていてよい。画像に対応付いた１以上の属性値のうち一部は、後述する属性値取得部１３２が取得し得る１以上の属性値と同一の属性値、または同一であると見なし得るほど類似する属性値であることは好適である。類似する属性値とは、例えば、「海岸」、「海辺」、「浜辺」等であるが、これに限らない。
【００５４】
ユーザ情報格納部１１３には、ユーザ情報が格納される。ユーザ情報とは、ユーザに関する情報である。ユーザ情報は、例えば、コンテキスト、嗜好情報等である。ユーザ情報に含まれるコンテキストは、ユーザの現況や近況を示す情報であり、例えば、「恋人がいる」、「恋人と別れたばかり」、「仕事が忙しい」等であってもよい。嗜好情報とは、ユーザの好みに関する情報であり、例えば、「ロックが好き」、「クラシックは嫌い」、「夏が好き」といった情報でもよい。
【００５５】
条件格納部１１４には、各種の条件が格納される。各種の条件とは、例えば、切替条件、連続再生条件などである。切替条件とは、音楽の出力中に、出力する画像を切り替える条件である。切替条件は、通常、音楽の１以上の特徴量を用いた条件である。１以上の特徴量を用いた条件は、例えば、１以上の音響特徴量を用いた条件であることは好適である。１以上の音響特徴量を用いた条件は、例えば、「音の振幅の変化が閾値以上の箇所」、「特定の周波数が出現しなくなった箇所」、「特定の周波数が出現しだす箇所」、「特定の周波数の出現周期が変化した箇所」、「音の振幅が閾値以下である状態が予め決められた時間以上継続したこと」などであるが、これに限らない。なお、「特定の周波数の出現周期が変化した箇所」とは、例えば、変化前の出現周期である第一の周期に従う一連の第一出現箇所のうち最後の第一出現箇所であってもよいし、変化後の出現周期である第二の周期に従う一連の第二出現箇所のうち最初の第二出現箇所であってもよい。ただし、最後の第一出現箇所を、最初の第二出現箇所と見なしてもよく、出現周期が変化した箇所は、かかる箇所の近傍であれば、どこでもよい。
【００５６】
連続再生条件とは、連続して再生する画像間の条件である。連続再生条件は、例えば、切替条件が満たされたとき、後述する画像取得部１３４が、新たな画像を選択する際に利用される。連続して再生する画像間とは、通常、切り替えられる直前の画像と、切り替えられた直後の画像との間をいう。画像間の条件とは、例えば、画像間で共通する又は対照的な属性値に関する条件であってもよい。
【００５７】
画像間で共通する属性値に関する条件とは、連続する２つの各画像が、例えば、「夏」等の同一の属性値、または同一と見なし得るほど類似する「夏」や「南国」等の属性値に対応付いていることであってもよい。「夏」や「南国」等の類似する属性値は、類義語辞書に類義語として管理されていてもよい。例えば、格納部１１に、かかる類義語辞書が格納されており、後述する画像取得部１３４は、連続する２つの各画像が同一の又は類似する属性値に対応付いているか否かを、この類義語辞書を用いて判断することは好適である。
【００５８】
画像間で対照的な属性値に関する条件とは、連続する２つの各画像が、例えば、「賑やか」と「静寂」といった対照的な属性値に対応付いていることであってもよい。「賑やか」と「静寂」といった対照的な属性値は、対義語辞書に対義語として管理されていてもよい。例えば、格納部１１に、かかる対義語辞書が格納されており、後述する画像取得部１３４は、連続する２つの各画像が対照的な属性値に対応付いているか否かを、この対義語辞書を用いて判断することは好適である。
【００５９】
または、画像間の条件とは、連続する２つの各画像が、一の音楽の全体に対応する統一感のある画像群から選択された画像であるという条件であってもよい。統一感のある画像群とは、例えば、例えば、共通の属性値に対応付いている画像の集合である。
【００６０】
連続再生条件は、例えば、切り替えられる直前の画像と切り替えられた直後の画像との間で、共通する又は対照的な属性値に関する条件である第一の連続再生条件を含み、かつ、一の音楽に対応する２以上の各画像の間で、共通の属性値に関する条件である第二の連続再生条件をも含むことは、好適である。例えば、第一の連続再生条件が、「切り替えの前後の画像間で属性値が対照的であること」であり、第二の連続再生条件が「一の音楽に対応する２以上の各画像の間で属性値が共通であること」であることは、より好適である。
【００６１】
エフェクト情報格納部１１５には、１または２以上のエフェクト情報が格納される。エフェクト情報とは、エフェクトの情報である。一般に、エフェクトとは、画像に加える映像効果の総称である。本実施の形態でいうエフェクトは、通常、画像を切り替える際に、画像の表示が不連続に変化することによるユーザの違和感を軽減するために、切り替えの前または後の少なくとも一方の画像に加えられる映像効果を意味する。少なくとも一方の画像に映像効果を加えることは、例えば、前の画像をフェードアウトで終了した後、後の画像をズームインで開始することでもよいし、前の画像をズームアウトで終了した後、後の画像をフェードインで開始することでもよいし、または、前の画像をフェードアウトで終了した後、後の画像を、特に映像効果を加えることなく、単に開始することでも構わない。
【００６２】
以下では、画像の開始時に加える映像効果を開始エフェクトと呼び、画像の終了時に加える映像効果を終了エフェクトと呼ぶ。開始エフェクトは、例えば、フェードイン、ズームイン、スワイプイン、スライドイン、スプリットイン等であるが、これに限らない。終了エフェクトは、例えば、フェードアウト、ズームアウト、スワイプアウト、スライドアウト、スプリットアウト等であるが、これに限らない。
【００６３】
エフェクト情報は、例えば、終了エフェクト識別子または開始エフェクト識別子のうち１以上の情報を含む。終了エフェクト識別子とは、開始エフェクトを識別する情報である。終了エフェクト識別子は、例えば、“フェードアウト”，“ズームアウト”等のエフェクト名でもよいし、ＩＤでもよい。開始エフェクト識別子とは、開始エフェクトを識別する情報である。開始エフェクト識別子もまた、例えば、“フェードイン”，“ズームイン”等のエフェクト名でもよいし、ＩＤでもよい。
【００６４】
エフェクト情報格納部１１５には、１以上の属性値と、かかるエフェクト情報との組が、２組以上、格納されることは好適である。１以上の属性値は、通常、画像の１以上の属性値であるが、音楽の１以上の属性値でもよい。また、１以上の属性値は、一の画像または一の音楽の１以上の属性値でもよいし、切り替え前の画像または音楽の１以上の属性値と、切り替え後の画像または音楽の１以上の属性値との組でもよい。エフェクト情報は、例えば、終了エフェクト識別子および開始エフェクト識別子の組で構成されてもよい。終了エフェクト識別子とは、前の画像の終了時に加えられる映像効果を識別する情報である。開始エフェクト識別子とは、後の画像の開始時に加えられる映像効果を示す情報である。エフェクト情報は、例えば、（終了エフェクト識別子，開始エフェクト識別子）の形式を用いて、（フェードアウト，ズームイン）、（ズームアウト，フェードイン）のように表現されてもよい。ただし、エフェクト情報の表現形式は問わない。
【００６５】
エフェクト情報格納部１１５には、１以上の属性値の条件に対応付けて、終了エフェクト識別子、開始エフェクト識別子のうちの１以上が格納されることは好適である。例えば、１つの属性値“夏”に対応付けて、終了エフェクト識別子“フェードアウト” および開始エフェクト識別子“ズームイン”が格納されていてもよい。また、例えば、２つの属性値“ドライブ”および“恋人と二人”に対応付けて、終了エフェクト識別子“ズームアウト”、および開始エフェクト識別子“フェードイン”が格納されていてもよい。または、例えば、切り替え前後の一対の属性値“アップテンポ”および“スローテンポ”に対応付けて、終了エフェクト識別子“ズームアウト”および開始エフェクト識別子“ズームイン”が格納され、切り替え前後の一対の属性値“静か”および“賑やか”に対応付けて“フェードアウト”および“フェードイン”が格納されてもよい。
【００６６】
エフェクト決定部１３５は、１以上の属性値を用いて、画像の切り替え時のエフェクトを決定する。エフェクト決定部１３５は、通常、１以上の属性値と、エフェクト情報格納部１１５に格納されている１以上のエフェクト情報のいずれか１つとを用いて、画像の切り替え時のエフェクトを決定する。エフェクト決定部１３５は、例えば、出力中の画像を新たな画像に切り替える際に、当該出力中の画像に対応付いている１以上の属性値を用いて、終了エフェクト識別子を取得し、当該新たな画像に対応付いている１以上の属性値を用いて、開始エフェクト識別子を取得することは好適である。
【００６７】
受付部１２は、各種の情報を受け付ける。各種の情報とは、例えば、後述する出力指示、後述する反応情報などである。受付部１２は、出力指示等の情報を、通常、キーボード等の入力デバイスを介して受け付けるが、例えば、ユーザ端末からネットワーク等を介して送信された情報を受信してもよい。または、受付部１２は、例えば、ディスクや半導体メモリなどの記録媒体から読み出された情報を受け付けてもよく、受け付けの態様は問わない。なお、このことは、出力指示受付部１２１および反応情報受付部１２２にも当てはまる。
【００６８】
出力指示受付部１２１は、出力指示を受け付ける。出力指示とは、音楽の出力指示である。出力指示は、通常、音楽識別子を有する。音楽識別子とは、音楽を識別する情報である。音楽識別子は、例えば、ＩＤなどであるが、音楽を識別し得る情報であれば何でもよい。出力指示は、通常、キーボード等の入力デバイスを介した指示である。ただし、出力指示は、例えば、処理部１３や、図示しないユーザ端末などによって、自動的に生成される指示でもよい。例えば、格納部１１に、出力指示の生成のタイミングを示す第一タイミング情報が格納されており、処理部１３等が、この第一タイミング情報に従うタイミングで、出力指示を自動的に生成してもよい。または、ユーザ端末が、後述する予約情報を保持しており、この予約情報に従うタイミングで、出力指示を自動的に生成し、音楽画像出力装置１に送信し、出力指示受付部１２１は、こうしてユーザ端末が自動的に生成および送信した出力指示を受信してもよい。
【００６９】
なお、ユーザ端末からの出力指示は、通常、ユーザ識別子と対に受信される。対に受信または送信されることは、出力指示がユーザ識別子を有する場合も含む。ユーザ識別子とは、ユーザを識別する情報である。ユーザ識別子は、例えば、メールアドレス、ＩＤなどであるが、ユーザ端末を識別する端末識別子（例えば、ＭＡＣアドレス、ＩＰアドレス等）でもよく、ユーザを識別し得る情報であれば何でもよい。
【００７０】
反応情報受付部１２２は、反応情報を受け付ける。反応情報とは、ユーザからの反応を示す情報である。反応は、通常、肯定的な反応、または否定的な反応のいずれかを示す。肯定的な反応情報とは、画像が音楽とマッチしていると感じたことを示す情報である。肯定的な反応情報は、例えば、当該画像が当該音楽と一種に出力された回数に対する“いいね！”が選択された回数の割合が、予め決められた閾値以上であることを示す情報であってもよい。否定的な反応情報とは、画像が音楽とマッチしていないと感じたことを示す情報である。否定的な反応情報は、例えば、当該画像が当該音楽と一種に出力された回数に対する“いいね！”が選択された回数の割合が、予め決められた閾値未満であることを示す情報であってもよい。
【００７１】
処理部１３は、各種の処理を行う。各種の処理とは、例えば、音楽取得部１３１、属性値取得部１３２、判断部１３３、画像取得部１３４、エフェクト決定部１３５、学習部１３６、選択部１３７、および推薦部１３８などの処理である。なお、各種の処理には、フローチャートで説明する各種の判別なども含まれる。
【００７２】
音楽取得部１３１は、音楽を取得する。音楽取得部１３１は、通常、出力指示受付部１２１が出力指示を受け付けたことに応じて、音楽を取得する。出力指示が音楽識別子を有する場合、音楽取得部１３１は、出力指示受付部１２１が出力指示を受け付けたことに応じて、例えば、当該出力指示が有する音楽識別子で識別される音楽を、音楽格納部１１１から取得することは好適である。出力指示が音楽識別子を有しない場合、音楽取得部１３１は、出力指示受付部１２１が出力指示を受け付けたことに応じて、音楽格納部１１１から、例えば、ユーザ情報格納部１１３に格納されているユーザ情報に応じた音楽を取得することは好適であるが、一の音楽をランダムに取得してもよい。ユーザ情報に応じた音楽を取得することは、例えば、ユーザ情報に含まれる文字列と類似する属性値を持った音楽を取得することであってもよい。
【００７３】
例えば、ユーザ情報に文字列“ロックが好き”が含まれている場合、音楽取得部１３１は、文字列“ロックが好き”に対応する属性値“ロック”を有する音楽を取得することは好適である。属性値“ロック”を有する音楽が複数存在する場合、音楽取得部１３１は、そのうち一つを、ランダムに取得してもよいし、順番に選択してもよい。または、音楽取得部１３１は、各音楽の取得の回数または頻度のうち一種類以上を管理しており、回数または頻度のうち一種類以上を用いて、一の音楽を選択してもよい。具体的には、音楽取得部１３１は、回数または頻度が最小の音楽を選択してもよいし、回数または頻度が閾値以下または閾値よりも小さい１以上の音楽の中から一つをランダムに選択してもよく、音楽の選択方法は問わない。
【００７４】
ただし、音楽取得部１３１は、音楽を、例えば、予め決められたタイミングで取得してもよい。予め決められたタイミングとは、例えば、上述した第一タイミング情報の示すタイミングでもよいし、予約情報が示すタイミングであってもよい。予約情報とは、ユーザが所望の時刻を指定し、その時刻に音楽の出力が開始されるように予約するための情報である。このように、音楽取得部１３１が音楽を取得するトリガは問わない。また、音楽取得部１３１は、音楽を、例えば、外部のサーバ等からダウンロードしてもよく、音楽の取得先も問わない。
【００７５】
属性値取得部１３２は、音楽の分析結果に基づく１以上の属性値を取得する。音楽の分析とは、例えば、音の分析でもよいし、歌詞の分析でもよい。音楽の分析は、音および歌詞の両方の分析であることは好適である。
【００７６】
音の分析とは、例えば、音の特徴量を取得することであってもよい。特徴量とは、例えば、音の波形における振幅の変化、音の波形を構成する周波数成分の変化などである。特徴量は、例えば、音響特徴量ベクトルで表現されてもよい。音響特徴量ベクトルとは、振幅の変化、周波数成分の変化といった２以上の特徴量を成分とするベクトルである。ただし、特徴量の表現形式は問わない。
【００７７】
歌詞の分析とは、例えば、深層学習やＳＶＭや決定木等の機械学習、形態素解析等を用いた自然言語処理によって、歌詞から自立語を取得することであってもよい。
【００７８】
例えば、格納部１１に、予め２以上の属性値が格納されている。属性値は、音楽に付される可能性のある属性値である。属性値は、例えば、場面を特定する情報、印象を特定する情報である。場面を特定する情報は、例えば、表面的画面を特定する情報、内面的場面を特定する情報である。表面的場面とは、ユーザの居る場所や環境等の、外的な場面であり、客観的場面といってもよい。表面的画面を特定する情報は、例えば、「海岸」、「花火」、「クリスマス」、「卒業式」などの用語である。また、内面的場面とは、ユーザの内面に関する場面であり、主観的場面といってもよい。内面的場面を特定する情報は、例えば、「デート」、「恋人」、「緊張」、「リラックス」などの用語である。印象とは、ユーザの抱く印象である。印象を特定する情報は、例えば、「嬉しい」、「悲しい」、「寂しい」、「楽しい」などの用語である。そして、格納部１１には、各用語に対応する文章（通常、歌詞）が、深層学習やＳＶＭや決定木等の機械学習のアルゴリズムにより学習された学習情報が格納されている。なお、機械学習における学習は、いわゆる正例（ある用語に該当する文章）のみではなく、負例（ある用語に該当しない文章）をも用いて、用語ごとに学習情報が構成され、格納部１１に蓄積されることは好適である。そして、属性値取得部１３２は、例えば、格納部１１の学習情報を用いて、歌詞を構成する文章または当該文章を形態素解析し取得された文章のベクトルを、用語ごとの学習情報に適用し、各用語に対応するか否かを判断し、対応すると判断された１以上の用語を属性値として取得する。
【００７９】
また、属性値取得部１３２は、歌詞を形態素解析し、歌詞から１以上の自立語を取得し、当該１以上の自立語を属性値として取得してもよい。
【００８０】
また、属性値取得部１３２は、歌詞を形態素解析し、歌詞から１以上の自立語を取得し、当該１以上の自立語から、ｔｆ−ｉｄｆ等のアルゴリズムを用いて、歌詞の特徴語を取得し、当該特徴語を属性値として取得してもよい。なお、ｔｆ−ｉｄｆ等のアルゴリズムは公知であり、説明を省略する。
【００８１】
また、属性値取得部１３２は、取得した２以上の自立語や２以上の特徴語を、例えば、類義語辞書を用いて、集約し、集約した用語を属性値として取得してもよい。かかる場合、格納部１１には、２以上の類義語をグループ化し、２以上のグループが格納されている類義語辞書が格納されている。そして、属性値取得部１３２は、取得した２以上の自立語や２以上の特徴語が同じグループに属する場合、当該グループを代表する代表語に変更し、当該代表語を属性値として取得してもよい。なお、グループを代表する代表語は、グループの中の一の用語でもよいし、グループを識別するグループ識別子等でもよい。
【００８２】
また、属性値取得部１３２は、形態素解析等により取得した自立語の集合を、例えば、場面および印象にクラス分けしても良く、さらに、場面にクラス分けされた自立語の集合を、例えば、表面的画面および内面的場面に細分化してもよい。なお、かかるクラス分けにも、機械学習のアルゴリズムを用いた分類技術であり、公知の自然言語処理が利用可能である。
【００８３】
以上のような音楽の分析は、通常、属性値取得部１３２が行うが、他の装置による分析結果を利用することも可能である。後者の場合、格納部１１には、１以上の各音楽に対応付けて、当該音楽の分析結果が格納されていることは好適である。
【００８４】
判断部１３３は、切替条件を満たすか否かを判断する。判断部１３３は、通常、音楽の出力中に、その音響特徴量が、条件格納部１１４に格納されている切替条件を満たすか否かを判断する。
【００８５】
特徴量取得手段１３３１は、音楽の１以上の特徴量を取得する。取得される１以上の特徴量には、前述したように、例えば、振幅の変化、周波数成分の変化などの音響特徴量が含まれる。なお、特徴量取得手段１３３１は、こうして取得した１以上の特徴量を、当該音楽に対応付けて、格納部１１等に蓄積することは好適である。
【００８６】
特徴量取得手段１３３１は、通常、音楽取得部１３１が取得した音楽を対象に、１以上の特徴量を取得する処理を行う。ただし、特徴量取得手段１３３１は、例えば、音楽格納部１１１に格納されている２以上の各音楽について、予め、当該音楽の１以上の特徴量を取得し、当該音楽に対応付けて蓄積する処理を行ってもよい。
【００８７】
変化点決定手段１３３２は、特徴量取得手段１３３１が取得した１以上の特徴量を用いて、音楽の中の１以上の変化点を決定する。変化点とは、取得された１以上の特徴量のうち１以上が変化する箇所をいう。変化点は、例えば、音の振幅の変化が閾値以上の箇所でもよいし、特定の周波数が出現しなくなった箇所でもよいし、特定の周波数が出現しだす箇所でも構わない。
【００８８】
変化点決定手段１３３２は、音楽の中の１以上の変化点を、通常、当該音楽が出力される際に、リアルタイムに検出する。ただし、変化点決定手段１３３２は、音楽の中の１以上の変化点を、例えば、予め決定し、決定した１以上の変化点の集合である変化点情報を保持しておいてもよい。
【００８９】
判断部１３３は、通常、変化点決定手段１３３２が、音楽の中の１以上の各変化点を検出したとき、切替条件を満たすと判断する。
【００９０】
画像取得部１３４は、１以上の属性値を用いて、画像を取得する。
【００９１】
画像取得部１３４は、通常、音楽に対応付いている１以上の属性値を用いて、当該１以上の属性値のうち１以上に対応する画像を取得する。当該１以上の属性値のうち対応する画像とは、当該画像に対応付いている１以上の属性値の少なくとも１つが、音楽に対応付いている１以上の属性値の少なくとも１つと共通していることである（以下同様）。
【００９２】
画像取得部１３４は、例えば、属性値取得部１３２が取得した属性値であり、音楽の分析結果に基づく１以上の属性値を用いて、当該１以上の属性値のうち１以上に対応する画像を取得することは好適である。
【００９３】
画像取得部１３４は、画像を、通常、画像格納部１１２から検索するが、例えば、外部の映像サーバから取得してもよいし、または、深層学習等のアルゴリズムを用いて生成してもよく、画像の取得先は問わない。
【００９４】
画像取得部１３４は、音楽に対応付いている１以上の属性値と、ユーザ情報とを用いて、画像を取得してもよい。画像取得部１３４は、例えば、属性値取得部１３２が取得した属性値であり、音楽の分析結果に基づく１以上の属性値と、ユーザ情報格納部１１３に格納されているユーザ情報とを用いて、当該１以上の属性値に対応し、かつ当該ユーザ情報にも対応する画像を取得することは好適である。当該ユーザ情報にも対応する画像とは、当該画像に対応付いている１以上の属性値の少なくとも１つが、ユーザ情報が示すユーザの嗜好またはコンテキストのうち一種類以上にも対応していることである（以下同様）。
【００９５】
画像取得部１３４は、音楽出力部１４１が音楽を出力中であり、かつ後述する画像出力部１４２が一の画像を出力中に、判断部１３３が切替条件を満たすと判断した場合に、新たな画像を取得する。新たな画像は、通常、音楽の現在の箇所（例えば、場面のトピック）に応じた画像である。音楽の現在の箇所に応じた画像とは、音楽の現在の箇所にマッチしているとユーザが感じるような画像である。音楽の現在の箇所に応じた画像は、例えば、音楽の現在の箇所の１以上の属性値のうち少なくとも１つと共通する属性値を持った画像であってもよい。画像取得部１３４は、切替条件を満たすと判断された場合に、例えば、画像格納部１１２に格納されている２以上の画像の中から、音楽の現在の箇所の１以上の属性値のうち少なくとも１つと共通する属性値を持った画像を選択してもよい。
【００９６】
なお、音楽の現在の箇所の１以上の属性値のうち少なくとも１つと共通する属性値を持った画像が、２以上、存在する場合、画像取得部１３４は、そのうち一つをランダムに選択してもよい。または、画像取得部１３４は、各画像の選択の回数または頻度のうち一種類以上を管理しており、回数または頻度のうち一種類以上を用いて、一の画像を選択してもよい。具体的には、画像取得部１３４は、回数または頻度が最小の画像を選択してもよいし、回数または頻度が閾値以下または閾値よりも小さい１以上の画像の中から一つをランダムに選択してもよい。このように、音楽の現在の箇所と共通する属性値を持った２以上の画像から一つの画像を選択する方法は問わない。
【００９７】
また、新たな画像は、音楽全体の楽想（例えば、全体のトピック）からも外れない画像であることは好適である。音楽全体の楽想から外れない画像とは、例えば、音楽の全体の属性値と共通する属性値を有する２以上の画像の集合の中から選択される画像であってもよい。音楽の全体の属性値とは、当該音それ自体に対応付いた属性値であり、例えば、“ロック”，“ポップス”等のジャンル、“夏”，“クリスマス”等の季節感などを示す属性値である。
【００９８】
画像取得部１３４は、切替条件を満たすと判断された場合に、例えば、画像格納部１１２に格納されている画像であり、音楽の全体の属性値と共通する属性値を有する２以上の画像の集合の中から、音楽の現在の箇所の１以上の属性値のうち少なくとも１つと共通する属性値を持った画像を選択することは好適である。なお、音楽の全体の属性値と共通する属性値を有する２以上の画像の集合の中から一つの画像を選択する方法は、上述したような、音楽の現在の箇所と共通する属性値を持った２以上の画像から一つの画像を選択する方法と同様でよい。
【００９９】
さらに、新たな画像は、ユーザの嗜好やコンテキスト等にも応じた画像であることは、より好適である。ユーザの嗜好やコンテキスト等に応じた画像とは、ユーザ情報に含まれる文字列に対応する属性値を持った画像であってもよい。画像取得部１３４は、例えば、かかる文字列と属性値との対の集合である対応情報を保持しており、画像格納部１１２に格納されている画像であり、共通の属性値を有する２以上の画像の集合の中から、音楽の現在の箇所の１以上の属性値のうち少なくとも１つと共通する属性値を持った画像であり、かつ、ユーザ情報に含まれる文字列に対応する属性値を持った画像を選択することは、より好適である。
【０１００】
画像取得部１３４は、例えば、音楽出力部１４１が音楽を出力中であり、かつ画像出力部１４２が一の画像を出力中に、判断部１３３が切替条件を満たすと判断した場合に、当該音楽の一部であり、判断部１３３が切替条件を満たすと判断した後の当該音楽の部分である後部分に対応付いている１以上の属性値を用いて、当該後部分に対応付いている１以上の属性値のうち１以上に対応する新たな画像を取得してもよい。
【０１０１】
画像取得部１３４は、例えば、音楽出力部１４１が音楽を出力中であり、かつ画像出力部１４２が一の画像を出力中に、判断部１３３が切替条件を満たすと判断した場合に、当該音楽の一部であり、判断部１３３が切替条件を満たすと判断した後の当該音楽の部分である後部分に対応付いている１以上の属性値と、ユーザ情報格納部１１３に格納されているユーザ情報とを用いて、当該後部分に対応付いている１以上の属性値のうち１以上に対応する新たな画像であり、かつ当該ユーザ情報が示すユーザの嗜好またはコンテキストのうち一種類以上にも対応している新たな画像を取得することは、好適である。
【０１０２】
画像取得部１３４は、例えば、音楽出力部１４１が音楽を出力中であり、かつ画像出力部１４２が一の画像を出力中に、判断部１３３が切替条件を満たすと判断した場合に、当該音楽の一部であり、判断部１３３が切替条件を満たすと判断した後の当該音楽の部分である後部分に対応付いている１以上の属性値と、画像格納部１１２に格納されている各画像の属性値とを用いて、当該後部分に対応付いている１以上の属性値のうち１以上に対応する新たな画像であり、かつ、その属性値が、出力中の画像の属性値との間で、連続再生条件を満たすような新たな画像を取得することは好適である。
【０１０３】
画像取得部１３４は、例えば、音楽出力部１４１が音楽を出力中であり、かつ画像出力部１４２が一の画像を出力中に、判断部１３３が切替条件を満たすと判断した場合に、当該音楽の一部であり、判断部１３３が切替条件を満たすと判断した後の当該音楽の部分である後部分に対応付いている１以上の属性値と、画像格納部１１２に格納されている各画像の属性値と、ユーザ情報格納部１１３に格納されているユーザ情報とを用いて、当該後部分に対応付いている１以上の属性値のうち１以上に対応する新たな画像であり、かつ、その属性値が、出力中の画像の属性値との間で、連続再生条件を満たすような新たな画像であり、かつ当該ユーザ情報が示すユーザの嗜好またはコンテキストのうち一種類以上にも対応している新たな画像を取得することは、より好適である。
【０１０４】
格納部１１には、例えば、類義語辞書が格納されており、切替条件が満たされたとき、画像取得部１３４は、類義語辞書を用いて、切り替え前の画像の属性値と同一の又は類似する属性値を持った新たな画像を選択することができる。類義語辞書には、例えば、「夏」、「南国」、「夏祭り」、および「花火」等の夏に関する類義語群、ならびに、「冬」、「クリスマス」、「北国」、および「スキー場」等の冬に関する類義語群などが登録される。
【０１０５】
格納部１１には、例えば、対義語辞書が格納されており、切替条件が満たされたとき、画像取得部１３４は、対義語辞書を用いて、切り替え前の画像の属性値と対照的な属性値を持った新たな画像を選択することができる。対義語辞書には、例えば、「賑やか」や「混雑」と「静か」といった音量に関する対義語群、「アップテンポ」と「スローテンポ」といったリズムに関する類義語、「ストリングス」と「ブラス」といった周波数に関する対義語群などが登録される。
【０１０６】
エフェクト決定部１３５は、１以上の属性値を用いて、画像の切り替え時のエフェクトを決定する。エフェクトの決定に用いる１以上の属性値は、通常、切り替え前の画像の１以上の属性値、または切り替え前の画像の１以上の属性値のうち、１種類以上の１以上の属性値である。ただし、エフェクトの決定に用いる１以上の属性値は、例えば、音楽の切り替え前の部分の１以上の属性値、または音楽の切り替え後の部分の１以上の属性値のうち、１種類以上の１以上の属性値であってもよい。なお、以下では、こうした各種の１以上の属性値を属性値群と記す場合がある。
【０１０７】
エフェクト決定部１３５は、切り替え前の画像識別子と対になる属性値群、切り替え後の画像識別子と対になる属性値群、切り替え前の音楽の区間と対になる属性値群、および切り替え後の音楽の区間と対になる属性値群、のうち１種類以上の属性値群を用いて、画像の切り替え時のエフェクトを決定することは好適である。
【０１０８】
例えば、エフェクト決定部１３５は、切り替え前の画像識別子“ＣＣＣ”と対になる属性値群、切り替え後の画像識別子“ＡＡＡ”と対になる属性値群、切り替え前の第一の区間と対になる属性値群、および切り替え後の第二の区間と対になる属性値群のうち１種類以上の属性値群を用いて、画像ＣＣＣから画像ＡＡＡへの切り替え時のエフェクトを決定してもよい。エフェクト決定部１３５は、例えば、切り替え前の第一の区間と対になる属性値群、切り替え後の第二の区間と対になる属性値群を用いて、前者に含まれる属性値“アップテンポ”および後者に含まれる“スローテンポ”の組と対になるエフェクト情報（ズームアウト，ズームイン）を、エフェクト情報格納部１１５から取得してもよい。
【０１０９】
画像取得部１３４は、例えば、後述する画像出力部１４２が一の画像を出力中に、判断部１３３が切替条件を満たすと判断した場合に、切り替え直前の画像および切り替え直後の画像のうち一種類以上の画像に加えるエフェクトを特定するエフェクト情報を取得する。エフェクト情報は、例えば、エフェクトのプログラムへのリンクや、エフェクトのプログラムに対応付いたフラグなどでもよく、そのデータ構造は問わない。
【０１１０】
学習部１３６は、音楽出力部１４１が出力する音楽と、当該音楽の出力中に画像出力部１４２が出力する画像とに対し、反応情報受付部１２２が受け付けた反応情報を用いて、音楽と画像との好適な組を学習する。学習することは、例えば、音楽識別子および画像識別子の組と好適度との対の集合である学習情報を構成することであってもよい。好適度とは、好適さの程度を示す情報である。好適度は、例えば、最適であることを示す最大値（例えば、１、１００等）、不適であることを示す最小値（例えば、０）、および最小値と最大値との間の１以上の数値（例えば、０と１と間の０．１，０．３等の小数値、０と１００との間の３３，８０等の整数値）で表現されてもよい。
【０１１１】
学習部１３６は、例えば、受け付けられた反応情報が肯定的である場合には、当該反応情報に対する音楽または画像のうちの１以上が出力されやすくなるように学習し、受け付けられた反応情報が否定的である場合には、当該反応情報に対する音楽または画像のうちの１以上が出力されにくくなるように学習することは好適である。学習部１３６は、かかる学習の結果である学習情報を、例えば、格納部１１に蓄積する。学習情報は、例えば、音楽識別子および画像識別子の組と、当該組の出力のされやすさ又はされにくさを示す値との対の集合であってもよい。なお、出力のされやすさ又はされにくさを示す値は、例えば、上記の好適度であるが、その表現形式は問わない。また、出力されやすくなるように学習することは、例えば、音楽識別子および画像識別子の組に対応する好適度を高くすることであり、出力されにくくなるように学習することは、音楽識別子および画像識別子の組に対応する好適度を低くすることであってもよい。
【０１１２】
選択部１３７は、反応情報受付部１２２が受け付けた２以上の反応情報に基づいて、音楽識別子および画像識別子の組（以下、単に組と記す場合がある）を、１組以上、選択する。選択される組は、例えば、出力のされやすさを示す値が、例えば、最高値である組であってもよいし、予め決められた順位（例えば、３位、２０位）以内に属する組の集合（例えば、上位３組、上位２０組等）であってもよいし、かかる組の集合からランダムに選択される１以上の組であっても構わない。
【０１１３】
選択部１３７は、例えば、格納部１１に格納されている学習情報を用いて、出力のされやすさを示す値が最高値である音楽と画像との組の情報を選択してもよいし、出力のされやすさを示す値が予め決められた順位以内に属する音楽と画像との２以上の組の情報を選択してもよい。
【０１１４】
選択部１３７は、例えば、組の選択の実行タイミングを示す第二タイミング情報を保持しており、この第二タイミング情報に従うタイミングで、上記のような組の選択を行ってもよい。第二タイミング情報は、例えば、“２０１７年２月１０日１２：００”等の特定の日時でもよいし、“毎朝９時”，“毎週金曜日の１７：００”等の周期性を有する日時でもよく、その表現形式は問わない。または、選択部１３７は、例えば、組の選択の指示である選択指示に応じて、上記のような組の選択を行っても構わない。
【０１１５】
推薦部１３８は、選択部１３７によって選択された組であり、音楽と画像との好適な１以上の組を推薦する。推薦部１３８は、選択部１３７が選択した１以上の組の情報を、例えば、ディスプレイ等の出力デバイスを介して出力してもよいし、または、ネットワーク等を介して図示しない１以上のユーザ端末に送信してもよい。
【０１１６】
出力部１４は、各種の情報を出力する。各種の情報とは、例えば、音楽、画像などである。出力部１４は、音楽や画像等の情報を、通常、スピーカーやディスプレイ等の出力デバイスを介して出力する。
【０１１７】
ただし、出力部１４は、音楽や画像等の情報を、例えば、ネットワーク等を介して、１以上のユーザ端末に送信してもよい。なお、このことは、音楽出力部１４１および画像出力部１４２にも当てはまる。
【０１１８】
音楽出力部１４１は、音楽を出力する。音楽出力部１４１は、通常、出力指示受付部１２１が出力指示を受け付けた場合に、音楽取得部１３１が音楽格納部１１１から取得した音楽を出力する。ただし、音楽出力部１４１は、例えば、チューナー等の放送受信モジュールで受信された音楽を出力してもよい。また、出力される音楽は、ユーザ指定の音楽でもよいし、自動的に選択された音楽でもよい。自動的に選択された音楽とは、例えば、前述したように、ランダムに選択された音楽でもよいし、ユーザ情報を用いて選択された音楽でもよい。
【０１１９】
画像出力部１４２は、画像を出力する。画像出力部１４２は、通常、出力指示受付部１２１が出力指示を受け付けた場合に、画像取得部１３４が画像格納部１１２から取得した画像を出力する。
【０１２０】
また、画像出力部１４２は、音楽の変化点の出力時に、新たな画像を出力する。画像出力部１４２は、通常、判断部１３３が切替条件を満たすと判断した場合に、画像取得部１３４が取得した新たな画像を出力する。
【０１２１】
さらに、画像出力部１４２は、判断部１３３が切替条件を満たすと判断した場合に、エフェクト決定部１３５が決定したエフェクトに従って、前の画像を終了し、新しい画像の出力を開始することは好適である。詳しくは、画像出力部１４２は、エフェクト決定部１３５が取得したエフェクト情報が有する終了エフェクト識別子で識別されるエフェクトを用いて、前の画像を終了し、当該エフェクト情報が有する開始エフェクト識別子で識別されるエフェクトを用いて、新たな画像を開始する。
【０１２２】
格納部１１、音楽格納部１１１、画像格納部１１２、ユーザ情報格納部１１３、条件格納部１１４、およびエフェクト情報格納部１１５は、例えば、ハードディスクやフラッシュメモリといった不揮発性の記録媒体が好適であるが、ＲＡＭなど揮発性の記録媒体でも実現可能である。
【０１２３】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【０１２４】
受付部１２、出力指示受付部１２１、および反応情報受付部１２２は、入力デバイスを含むと考えても、含まないと考えてもよい。受付部１２等は、入力デバイスのドライバーソフトによって、または入力デバイスとそのドライバーソフトとで実現され得る。
【０１２５】
受付部１２等の受信機能は、通常、有線または無線の通信手段（例えば、ネットワークカードやモデム等の通信モジュール）で実現されるが、放送を受信する手段（例えば、放送受信モジュール）で実現されてもよい。
【０１２６】
処理部１３、音楽取得部１３１、属性値取得部１３２、判断部１３３、画像取得部１３４、エフェクト決定部１３５、学習部１３６、選択部１３７、推薦部１３８、特徴量取得手段１３３１、および変化点決定手段１３３２は、通常、ＭＰＵやメモリ等から実現され得る。処理部１３等の処理手順は、通常、ソフトウェアで実現され、当該ソフトウェアはＲＯＭ等の記録媒体に記録されている。ただし、処理手順は、ハードウェア（専用回路）で実現してもよい。
【０１２７】
出力部１４、音楽出力部１４１、および画像出力部１４２は、ディスプレイやスピーカー等の出力デバイスを含むと考えても含まないと考えてもよい。出力部１４等は、出力デバイスのドライバーソフトによって、または出力デバイスとそのドライバーソフトとで実現され得る。
【０１２８】
出力部１４等の送信機能は、通常、有線または無線の通信手段で実現されるが、放送手段（例えば、放送モジュール）で実現されてもよい。
【０１２９】
次に、音楽画像出力装置１の動作について図２のフローチャートを用いて説明する。なお、既出の事項に関する説明は、省略または簡略化している。
【０１３０】
図２は、音楽画像出力装置１の動作を説明するフローチャートである。
【０１３１】
（ステップＳ２０１）処理部１３は、出力指示受付部１２１が出力指示を受け付けたか否かを判別する。なお、このフローチャートにおいて、受け付けることは、例えば、キーボード等の入力デバイスを介して受け付けることでもよいし、ユーザ端末等から受信することでもよい。出力指示受付部１２１が出力指示を受け付けた場合はステップＳ２０２に進み、受け付けていない場合はステップＳ２０１に戻る。
【０１３２】
（ステップＳ２０２）音楽取得部１３１は、音楽格納部１１１から音楽を取得する。
【０１３３】
（ステップＳ２０３）画像取得部１３４は、取得された音楽の１以上の属性値に対応する画像を画像格納部１１２から取得する。
【０１３４】
（ステップＳ２０４）音楽出力部１４１は、取得された音楽の出力を開始し、画像出力部１４２は、取得された画像の出力を開始する。
【０１３５】
（ステップＳ２０５）判断部１３３は、切替条件を満たすか否かを判断する。詳しくは、特徴量取得手段１３３１が、音楽の現在の箇所の１以上の特徴量を取得し、変化点決定手段１３３２は、取得された１以上の特徴量を用いて、少なくとも１つの特徴量が変化する変化点を検出する動作を繰り返すことで、音楽の中の１以上の変化点を順次決定していく。判断部１３３は、１以上の各変化点が検出されたとき、切替条件を満たすと判断する。切替条件を満たすと判断された場合はステップＳ２０６に進み、切替条件を満たさないと判断された場合はステップＳ２１０に進む。
【０１３６】
（ステップＳ２０６）画像取得部１３４は、音楽の切替後の部分の１以上の属性値に対応する画像であり、連続再生条件を満たす新たな画像を取得する。
【０１３７】
（ステップＳ２０７）エフェクト決定部１３５は、１以上の属性値を用いて、画像の切り替え時のエフェクトを決定する。なお、エフェクトの決定に用いる１以上の属性値については、前述したので繰り返さない。
【０１３８】
（ステップＳ２０８）画像出力部１４２は、前の画像の出力を、決定されたエフェクトを加えつつ終了する。
【０１３９】
（ステップＳ２０９）画像出力部１４２は、後の画像の出力を、決定されたエフェクトを加えつつ開始する。その後、ステップＳ２０５に戻る。
【０１４０】
（ステップＳ２１０）処理部１３は、反応情報受付部１２２が反応情報を受け付けたか否かを判別する。反応情報受付部１２２が反応情報を受け付けた場合はステップＳ２１１に進み、受け付けていない場合はステップＳ２１３に進む。
【０１４１】
（ステップＳ２１１）学習部１３６は、出力中の音楽および画像に対し、受け付けられた反応情報を用いて、音楽と画像との好適な組を学習する学習処理を行う。
【０１４２】
（ステップＳ２１２）学習部１３６は、学習処理によって得られた学習情報を格納部１１に蓄積する。その後、ステップＳ２０５に戻る。
【０１４３】
（ステップＳ２１３）選択部１３７は、組の選択を行うか否かを判断する。選択部１３７は、例えば、保持している第二タイミング情報と、ＭＰＵの内蔵時計やＮＴＰサーバ等から取得される現在時刻とを用いて、組の選択を行うタイミングか否かを判別し、組の選択を行うタイミングである場合に、組の選択を行うと判断してもよい。または、選択指示を受け付けたことに応じて、組の選択を行うと判断してもよい。組の選択を行うと判断された場合はステップＳ２１４に進み、組の選択を行わないと判断された場合はステップＳ２０５に戻る。
【０１４４】
（ステップＳ２１４）選択部１３７は、格納部１１に格納されている学習情報を用いて、音楽と画像との好適な組を、１組以上、選択する。
【０１４５】
（ステップＳ２１５）推薦部１３８は、選択された組を推薦する。詳しくは、推薦部１３８は、選択された１以上の組の情報を、例えば、ディスプレイ等の出力デバイスを介して出力してもよいし、ネットワーク等を介して１以上のユーザ端末に送信しても構わない。その後、ステップＳ２０５に戻る。
【０１４６】
なお、図２のフローチャートにおいて、音楽画像出力装置１の電源オンやプログラムの起動に応じて処理が開始し、電源オフや処理終了の割り込みにより処理は終了する。ただし、処理の開始または終了のトリガは問わない。
【０１４７】
以下、本実施の形態における音楽画像出力装置１の具体的な動作について説明する。なお、以下の説明は、種々の変更が可能であり、本発明を何ら限定するものではない。また、既出の事項に関する説明は、省略または簡略化している。
【０１４８】
本例では、イベント会場にＡＶＣシステムが設置されている。ＡＶＣシステムは、音楽画像出力装置１に加えて、一のユーザＸＸによって操作される端末、１以上のスピーカー、および１以上のディスプレイなども含む。音楽画像出力装置１には、ネットワーク等を介して、他のユーザＹＹのユーザ端末が接続されていてもうよい。
【０１４９】
音楽格納部１１１には、２以上の音楽が格納されている。２以上の音楽とは、音楽識別子“ａａａ”で識別される音楽ａａａ、音楽識別子“ｂｂｂ”で識別される音楽ｂｂｂなどである。
【０１５０】
格納部１１には、変化点情報が格納されている。変化点情報とは、２以上の各音楽における１以上の変化点を示す情報である。変化点情報は、音楽識別子と１以上の変化点との組の集合であってもよい。音楽識別子と１以上の変化点との組の集合とは、例えば、音楽識別子“ａａａ”と２つの変化点“０：５０”および“１：４５”との組、音楽識別子“ｂｂｂ”と１つの変化点“１：３５”との組、などである。
【０１５１】
なお、上記のような変化点情報は、本例では、予め、変化点決定手段１３３２によって決定され、格納部１１に格納されているが、例えば、各音楽ａａａ，ｂｂｂ等が初めて出力される際に、変化点決定手段１３３２によって決定され、格納部１１に蓄積されていってもよい。
【０１５２】
格納部１１には、音楽を管理するための２以上の音楽管理情報が格納されている。図３は、音楽管理情報のデータ構造図である。音楽管理情報は、音楽識別子、区間、区間の属性値、および全体の属性値を有する。区間とは、通常、１以上の変化点で区切られた区間である。ただし、音楽に変化点がない場合、区間は、当該音楽の全体でもよい。区間の属性値は、各区間に対応付いた属性値である。全体の属性値とは、音楽全体の１以上の属性値である。
【０１５３】
２以上の各音楽管理情報は、ＩＤ（例えば、１，２，…）に対応付いている。例えば、ＩＤ“１”に対応付いた音楽管理情報（以下、音楽管理情報１と記す場合がある）は、音楽識別子“ａａａ”、第一の区間“０：００〜０：５０”、第二の区間“０：５０〜１：４５”、第三の区間“１：４５〜２：２０”、第一の区間の２つの属性値“海岸，アップテンポ”、第二の区間の３つの属性値“デート，スローテンポ，静か”、第三の区間の２つの属性値“花火，賑やか”、および全体の２つの属性値“ロック”および“夏”を有する。
【０１５４】
同様に、ＩＤ“２”に対応付いた音楽管理情報（音楽管理情報２）は、音楽識別子“ｂｂｂ”、第一の区間“０：００〜１：３５”、第二の区間“１：３５〜２：４５”、第一の区間の２つの属性値“雪，ストリングス”、第二の区間の２つの属性値“パーティ，ブラス”、および全体の２つの属性値“ポップス”および“クリスマス”を有する。
【０１５５】
なお、上記のような音楽管理情報１，２等は、本例では、予め、属性値取得部１３２が、上記のような変化点情報を用いて、各音楽ａａａ，ｂｂｂ等を区間ごとに分析することにより構成され、格納部１１に格納されているが、例えば、各音楽ａａａ，ｂｂｂ等が初めて出力される際に、属性値取得部１３２によって構成され、格納部１１に蓄積されていってもよい。
【０１５６】
画像格納部１１２には、５以上の画像が格納されている。５以上の画像とは、画像識別子“ＡＡＡ”で識別される画像ＡＡＡ、…、画像識別子“ＥＥＥ”で識別される画像ＥＥＥなどである。
【０１５７】
格納部１１には、画像ＡＡＡ，…，画像ＥＥＥ等を管理するための５以上の画像管理情報が格納されている。図４は、音楽管理情報のデータ構造図である。画像管理情報は、画像識別子、および当該画像識別子で識別される画像の１以上の属性値を含む。
【０１５８】
５以上の各画像管理情報は、ＩＤ（例えば、１，２，…）に対応付いている。例えば、ＩＤ“１”に対応付いた画像管理情報（画像管理情報１）は、画像識別子“ＡＡＡ”、および５つの属性値“夏，海岸，ドライブ，恋人と二人，嬉しい”を含む。同様に、画像管理情報２は、画像識別子“ＢＢＢ”、および３つの属性値“冬，スキー場，仲間と”を含む。また、画像管理情報３は、画像識別子“ＣＣＣ”、および３つの属性値“南国，カフェ，賑やか”を含む。また、画像管理情報４は、画像識別子“ＤＤＤ”、および２つの属性値“北国，一人で”を含む。さらに、画像管理情報５は、画像識別子“ＥＥＥ”、および２つの属性値“夏祭り，混雑”を含む。
【０１５９】
ユーザ情報格納部１１３には、ユーザ情報が格納されている。このユーザ情報は、ユーザＸＸのユーザ情報であり、例えば、ユーザＸＸの嗜好である「ロックが好き」、ユーザＸＸの現況である「恋人がいる」等の文字列を含む。また、ユーザ情報格納部１１３には、ユーザＹＹを識別するユーザ識別子“ＹＹ”も格納されている。
【０１６０】
なお、ユーザ情報格納部１１３には、ユーザ識別子とユーザ情報との対の集合が格納されてもよい。ユーザ識別子とユーザ情報との対とは、ユーザ識別子“ＸＸ”とユーザ情報１との対、ユーザ識別子“ＹＹ”とユーザ情報２との対などである。ユーザ情報１は、上記のような文字列を含む。ユーザ情報２も同様に、ユーザＹＹの嗜好や現況や近況に関する文字列を含んでいてよい。
【０１６１】
格納部１１には、ユーザ情報に含まれる文字列と属性値との対応情報が格納されている。この対応情報は、文字列「ロックが好き」と属性値“ロック”との対、文字列「恋人がいる」と属性値“恋人と二人”との対等を含む。
【０１６２】
条件格納部１１４には、切替条件、および連続再生条件が格納されている。図５は、切替条件の内容の一例を示す図である。この切替条件は、第一の切替条件「音の振幅の変化が閾値以上の箇所」、第二の切替条件「特定の周波数の出現周期が変化した箇所」、第三の切替条件「特定の周波数が出現しだす箇所」等を含む。図６は、連続再生条件の内容を示す図である。この連続再生条件は、第一の連続再生条件「切り替えの前後の画像間で属性値が対照的であること」、および第二の連続再生条件「一の音楽に対応する２以上の各画像の間で属性値が共通であること」を含む。
【０１６３】
格納部１１には、属性値が共通であるか否かを判断するための類義語辞書が格納されている。この類義語辞書には、２以上の類義語群が登録されている。２以上の類義語群とは、例えば、「夏」、「南国」、「夏祭り」、および「花火」等の夏に関する第一の類義語群、「冬」、「クリスマス」、「北国」、および「スキー場」等の冬に関する第二の類義語群、「賑やか」、「アップテンポ」、「仲間と」、および「混雑」等の賑やかさに関する第三の類義語群、「静か」、「スローテンポ」、「一人で」、および「恋人と二人」等の静かさに関する第四の類義語群などである。
【０１６４】
また、格納部１１には、属性値が対照的であるか否かを判断するための対義語辞書も格納されている。この対義語辞書には、２以上の対義語群が登録されている。２以上の対義語群とは、例えば、「賑やか」や「混雑」と「静か」といった音量に関する第一の対義語群、「アップテンポ」と「スローテンポ」といったリズムに関する第二の対義語群、「ストリングス」と「ブラス」等といった周波数に関する第三の対義語群などである。
【０１６５】
エフェクト情報格納部１１５には、１以上の属性値とエフェクト情報との組の集合が格納されている。１以上の属性値とエフェクト情報との組とは、例えば、一対の属性値“静か”および“賑やか”とエフェクト情報“フェードアウト，フェードイン”との組である。ただし、“静か”は“一人で”でもよく、“賑やか”は“混雑または“仲間と”でもよい。また、１以上の属性値とエフェクト情報との組とは、例えば、一対の属性値“アップテンポ”および“スローテンポと”とエフェクト情報“ズームアウト，ズームイン”との組などである。
【０１６６】
いま、ユーザＸＸは、音楽画像出力装置１のキーボード等を操作して、出力指示を入力したとする。この出力指示には、音楽識別子は含まれていない。音楽画像出力装置１において、出力指示受付部１２１が、入力された出力指示を受け付け、音楽取得部１３１は、ユーザ情報格納部１１３に格納されているユーザ情報と、格納部１１に格納されている上記対応情報と、格納部１１に格納されている音楽管理情報１，２等とを用いて、ユーザ情報に含まれる文字列「ロックが好き」に対応する属性値“ロック”と対になる音楽識別子“ａａａ”を音楽管理情報１から取得し、音楽識別子“ａａａ”で識別される音楽ａａａを音楽格納部１１１から取得する。
【０１６７】
次に、画像取得部１３４は、音楽ａａａの１以上の属性値に対応する画像を画像格納部１１２から取得する。詳しくは、画像取得部１３４は、まず、音楽ａａａに対応する音楽管理情報１を用いて、音楽識別子“ａａａ”に対応する全体の属性値群“ロック，夏”と、音楽識別子“ａａａ”に対応する３区間のうち第一の区間“０：００〜０：５０”と対になる属性値群“海岸，アップテンポ”とを取得する。次に、画像取得部１３４は、画像管理情報１〜５と、類義語辞典と、ユーザ情報とのうち１以上の情報を用いて、取得した属性値群に対応する画像を画像格納部１１２から取得する。
【０１６８】
すなわち、画像取得部１３４は、最初、画像管理情報１〜５と、類義語辞典とを用いて、全体の属性値群“ロック，夏”に含まれる“夏”に対応する属性値を有する画像を識別する画像識別子群“ＡＡＡ，ＣＣＣ，ＥＥＥ”を取得する。なお、こうして音楽の全体の属性値群に対応するものとして取得された画像識別子群（以下、全体対応の画像識別子群と記す場合がある）で識別される各画像は、通常、図６に示した第二の連続再生条件を満たす。
【０１６９】
次に、画像取得部１３４は、画像管理情報１〜５と、類義語辞典とを用いて、取得した上記画像識別子群“ＡＡＡ，ＣＣＣ，ＥＥＥ”の中から、第一の区間“０：００〜０：５０”と対になる属性値群“海岸，アップテンポ”に対応する属性値を有する画像を識別する画像識別子を取得する。ここでは、“海岸”と“南国”が共に第一の類義語群に属し、“アップテンポ”と“賑やか”とが共に第三の類義語群に属することから、画像識別子“ＣＣＣ”が取得される。
【０１７０】
なお、画像ＡＡＡについては、“海岸”と“南国”が共に第一の類義語群に属するものの、“アップテンポ”と同一の又はこれに類似する属性値を欠いているため、画像識別子“ＡＡＡ”は取得されない。画像ＥＥＥについては、“海岸”と“夏祭り”は類似しているが、“アップテンポ” と同一の又はこれに類似する属性値を欠いており、画像識別子“ＥＥＥ”も取得されない。
【０１７１】
例えば、類似度を、（同一の又は類似する属性値の数）／（取得された属性値の総数）と定義すれば、画像ＣＣＣに関する類似度は“２／２”＝１、画像ＡＡＡ，画像ＥＥＥに関する類似度は、いずれも“１／２”＝０．５となり、画像取得部１３４は、最大の類似度に対応する画像識別子“ＣＣＣ”を取得する。
【０１７２】
なお、最大の類似度に対応する画像識別子が複数存在する場合、画像取得部１３４は、例えば、そのうち１つをランダムに選択してもよいし、または、ＩＤの数値が最小のもの又は最大のものを選択してもよく、その選択方法は問わない。画像取得部１３４は、閾値以上の類似度に対応する２以上の画像識別子の中から、一の画像識別子を、例えば、ユーザ情報を用いて選択することは好適である。ユーザ情報を用いて選択することは、例えば、ユーザ情報に含まれる文字列「恋人がいる」に対応する属性値“恋人と二人”を有する画像を選択することでもよい。なお、これらのことは、以下で画像を選択する際にも当てはまる。
【０１７３】
音楽出力部１４１は、取得された音楽ａａａの出力を開始し、画像出力部１４２は、取得された画像ＣＣＣの出力を開始する。
【０１７４】
音楽ａａａおよび画像ＣＣＣの出力中、処理部１３は、反応情報受付部１２２が反応情報を受け付けたか否かの判別を繰り返し行っている。反応情報が受け付けられた場合、学習部１３６は、その反応情報を用いて学習処理を行い、得られた学習情報を、音楽識別子“ａａａ”および画像識別子“ＣＣＣ”に対応付けて、格納部１１に蓄積する。
【０１７５】
音楽ａａａおよび画像ＣＣＣの出力中、判断部１３３は、切替条件を満たすか否かの判断を繰り返し行っている。切替条件を満たすことは、ここでは、音楽ａａａの出力開始からの経過時間が、音楽識別子“ａａａ”に対応する一番目の変化点“０：５０”に達した又はそれを過ぎたことである。判断部１３３は、音楽ａａａの出力開始に応じて、タイマによる計時を開始し、タイマの値が最初の変化点“０：５０”に達した時点で、切替条件を満たしたと判断すればよい。
【０１７６】
なお、判断部１３３は、音楽ａａａの出力中に、当該音楽ａａａの分析を行い、図５に示した切替条件のいずれか１つが満たされたか否かを判断してもよい。この場合、判断部１３３は、音楽ａａａのリズムがアップテンポからスローテンポに変化したことに応じて、第二の切替条件が満たされたと判断する。テンポの変化は、例えば、ドラムやベース等に対応する特定周波数の出現周期の変化として検知されてもよい。判断部１３３は、テンポが変化した時点のタイマの値を、一番目の変化点として格納部１１に蓄積することは好適である。
【０１７７】
切替条件を満たすと判断されたことに応じて、画像取得部１３４は、先に取得した全体対応の画像識別子群“ＡＡＡ，ＣＣＣ，ＥＥＥ”のうち、出力中である“ＣＣＣ”を除いた残りから、まず、音楽の切替後の部分である第二の区間の属性値群“デート，スローテンポ，静か”に対応する画像を取得する。ここでは、“デート”が画像管理情報１の“恋人と二人”と類似する一方、“スローテンポ”，“静か”と類似する属性値は、画像管理情報１，５のいずれにも存在しないことから、画像識別子“ＡＡＡ”が取得される。この画像識別子“ＡＡＡ”と対になる属性値群のうち“静か”が、現在の画像識別子“ＣＣＣ”と対になる属性値群のうち“賑やか”と対照的なので、新たな画像とし、この画像識別子“ＡＡＡ”で識別される画像ＡＡＡが取得される。
【０１７８】
次に、エフェクト決定部１３５は、切り替え前の画像識別子“ＣＣＣ”と対になる属性値群、切り替え後の画像識別子“ＡＡＡ”と対になる属性値群、切り替え前の第一の区間と対になる属性値群、および切り替え後の第二の区間と対になる属性値群のうち１種類以上の属性値群を用いて、画像ＣＣＣから画像ＡＡＡへの切り替え時のエフェクトを決定する。ここでは、例えば、切り替え前の第一の区間と対になる属性値群、切り替え後の第二の区間と対になる属性値群を用いて、前者に含まれる属性値“アップテンポ”および後者に含まれる“スローテンポ”の組と対になるエフェクト情報（ズームアウト，ズームイン）が、エフェクト情報格納部１１５から取得されたとする。なお、使用する属性値群の組み合わせを変えて、別のエフェクト情報をも取得し、取得した２以上のエフェクト情報のうち１つを、ランダムに、または適宜なアルゴリズムに従って、採用してもよい。
【０１７９】
画像出力部１４２は、前の画像ＣＣＣの出力をズームアウトしつつ終了し、後の画像ＡＡＡの出力をズームインしつつ開始する。
【０１８０】
音楽ａａａおよび画像ＡＡＡの出力中にも、処理部１３は、反応情報が受け付けられたか否かの判別を繰り返し行っている。反応情報が受け付けられた場合、学習部１３６は、その反応情報を用いて学習処理を行い、得られた学習情報を、音楽識別子“ａａａ”および画像識別子“ＡＡＡ”に対応付けて、格納部１１に蓄積する。
【０１８１】
音楽ａａａおよび画像ＡＡＡの出力中にも、判断部１３３は、切替条件を満たすか否かの判断を繰り返し行っている。切替条件を満たすことは、ここでは、音楽ａａａ等の出力開始からの経過時間が、音楽識別子“ａａａ”に対応する二番目の変化点“１：４５”に達した又はそれを過ぎたことである。判断部１３３は、音楽ａａａの出力開始に応じて、タイマによる計時を開始し、タイマの値が最初の変化点“１：４５”に達した時点で、切替条件を満たしたと判断すればよい。
【０１８２】
なお、判断部１３３は、音楽ａａａの出力中に、音楽ａａａが静かな状態から賑やかな状態に変化したことに応じて、第一の切替条件が満たされたと判断することもできる。かかる変化は、音の振幅の変化（例えば、音量の増加）として検知されてもよい。判断部１３３は、例えば、音量が増加した時点のタイマの値を、二番目の変化点として格納部１１に蓄積することは好適である。
【０１８３】
切替条件を満たすと判断されたことに応じて、画像取得部１３４は、先に取得した全体対応の画像識別子群“ＡＡＡ，ＣＣＣ，ＥＥＥ”のうち、出力中である“ＡＡＡ”を除いた残りから、まず、音楽の切替後の部分である第三の区間の属性値群“花火，賑やか”に対応する画像を取得する。ここでは、“花火”が画像管理情報５の“夏祭りと類似する一方、““賑やか”と類似する属性値は、画像管理情報１，５のいずれにも存在しないことから、画像識別子“ＥＥＥ”が取得される。この画像識別子“ＥＥＥ”と対になる属性値群のうち“混雑”が、現在の画像識別子“ＡＡＡ”と対になる識別子群のうち“静か”と対照的なので、新たな画像とし、この画像識別子“ＥＥＥ”で識別される画像ＥＥＥが取得される。
【０１８４】
次に、エフェクト決定部１３５は、切り替え前の画像識別子“ＡＡＡ”と対になる属性値群、切り替え後の画像識別子“ＥＥＥ”と対になる属性値群、切り替え前の第二の区間と対になる属性値群、および切り替え後の第三の区間と対になる属性値群のうち１種類以上の属性値群を用いて、画像ＡＡＡから画像ＥＥＥへの切り替え時のエフェクトを決定する。ここでは、例えば、切り替え前の画像識別子“ＡＡＡ”と対になる属性値群、切り替え後の画像識別子“ＥＥＥ”と対になる属性値群を用いて、前者に含まれる属性値“静か”および後者に含まれる“混雑”の組と対になるエフェクト情報（フェードアウト，フェードイン）が、エフェクト情報格納部１１５から取得されたとする。
【０１８５】
画像出力部１４２は、前の画像ＡＡＡの出力をフェードアウトしつつ終了し、後の画像ＥＥＥの出力をフェードインしつつ開始する。
【０１８６】
音楽ａａａおよび画像ＥＥＥの出力中に反応情報が受け付けられた場合、学習部１３６は、その反応情報を用いて学習処理を行い、得られた学習情報を、音楽識別子“ａａａ”および画像識別子“ＥＥＥ”に対応付けて、格納部１１に蓄積する。
【０１８７】
音楽ａａａの出力が完了すると、例えば、処理部１３が、音楽識別子“ｂｂｂ”を有する出力指示を生成してもよい。出力指示受付部１２１は、生成された出力指示を受け付け、音楽取得部１３１は、音楽格納部１１１から音楽ｂｂｂを取得する。画像取得部１３４は、音楽ｂｂｂの１以上の属性値に対応する画像を、上記と同様の手順で取得する。ここでは、全体対応の画像識別子群“ＢＢＢ，ＤＤＤ”が取得され、その中から画像識別子“ＤＤＤ”で識別される画像ＤＤＤが取得されたとする。
【０１８８】
音楽出力部１４１は、取得された音楽ｂｂｂの出力を開始し、画像出力部１４２は、取得された画像ＤＤＤの出力を開始する。
【０１８９】
音楽ｂｂｂおよび画像ＤＤＤの出力中に反応情報が受け付けられた場合、学習部１３６は、その反応情報を用いて学習処理を行い、得られた学習情報を、音楽識別子“ｂｂｂ”および画像識別子“ＤＤＤ”に対応付けて、格納部１１に蓄積する。
【０１９０】
判断部１３３は、音楽ｂｂｂの出力開始に応じてタイマによる計時を開始し、タイマの値が変化点“１：３５”に達した時点で、切替条件を満たしたと判断する。なお、判断部１３３は、音楽ｂｂｂの出力中に、音楽ｂｂｂの楽器がストリングスからブラスに変化したことに応じて、第三の切替条件が満たされたと判断することもできる。かかる変化は、特定の周波数成分が出現し出したこととして検知されてもよい。判断部１３３は、例えば、特定の周波数成分が出現し出した時点のタイマの値を、一番目の変化点として格納部１１に蓄積することは好適である。
【０１９１】
切替条件を満たすと判断されたことに応じて、画像取得部１３４は、先に取得した全体対応の画像識別子群“ＢＢＢ，ＤＤＤ，…”のうち、出力中である“ＤＤＤ”を除いた残りから、まず、音楽の切替後の部分である第二の区間の属性値群“パーティ，ブラス”に対応する画像を取得する。ここでは、“パーティ”が画像管理情報２の“仲間と”と類似することから、画像識別子“ＢＢＢ”が取得される。この画像識別子“ＢＢＢ”と対になる属性値群のうち“一人で”が、現在の画像識別子“ＤＤＤ”と対になる識別子群のうち“仲間と”と対照的なので、新たな画像として、この画像識別子“ＢＢＢ”で識別される画像ＢＢＢが取得される。
【０１９２】
次に、エフェクト決定部１３５は、切り替え前の画像識別子“ＢＢＢ”と対になる属性値群、切り替え後の画像識別子“ＤＤＤ”と対になる属性値群、切り替え前の第一の区間と対になる属性値群、および切り替え後の第二の区間と対になる属性値群のうち１種類以上の属性値群を用いて、画像ＤＤＤから画像ＢＢＢへの切り替え時のエフェクトを決定する。ここでは、例えば、切り替え前の画像識別子“ＤＤＤ”と対になる属性値群、切り替え後の画像識別子“ＢＢＢ”と対になる属性値群を用いて、前者に含まれる属性値“一人で”および後者に含まれる“仲間と”の組と対になるエフェクト情報（フェードアウト，フェードイン）が、エフェクト情報格納部１１５から取得されたとする。
【０１９３】
画像出力部１４２は、前の画像ＤＤＤの出力をフェードアウトしつつ終了し、後の画像ＢＢＢの出力をフェードインしつつ開始する。
【０１９４】
音楽ｂｂｂおよび画像ＢＢＢの出力中に反応情報が受け付けられた場合、学習部１３６は、その反応情報を用いて学習処理を行い、得られた学習情報を、音楽識別子“ｂｂｂ”および画像識別子“ＢＢＢ”に対応付けて、格納部１１に蓄積する。
【０１９５】
選択部１３７は、内蔵時計等から取得された現在時刻が、保持している第二タイミング情報の示す時刻になると、組の選択を行う。詳しくは、選択部１３７は、格納部１１に格納されている１以上の学習情報（ここでは、音楽識別子“ａａａ”および画像識別子“ＣＣＣ”に対応付いた学習情報、音楽識別子“ａａａ”および画像識別子“ＡＡＡ”に対応付いた学習情報、音楽識別子“ａａａ”および画像識別子“ＥＥＥ”に対応付いた学習情報、音楽識別子“ｂｂｂ”および画像識別子“ＤＤＤ”に対応付いた学習情報、ならびに、音楽識別子“ｂｂｂ”および画像識別子“ＢＢＢ”に対応付いた学習情報）を用いて、音楽と画像との好適な組を、１組以上、選択する。ここでは、音楽識別子“ａａａ”および画像識別子“ＣＣＣ”に対応付いた学習情報に含まれる好適度が最も高く、音楽ａａａと画像ＣＣＣとの組が選択されたとする。
【０１９６】
推薦部１３８は、選択された組を推薦する。詳しくは、推薦部１３８は、選択された音楽ａａａと画像ＣＣＣとの組の情報を、ディスプレイ等の出力デバイスを介して出力する。かかる情報は、ネットワーク等を介して、ユーザＹＹのユーザ端末に送信されてもよい。ユーザＹＹのユーザ端末は、かかる情報を受信し、受信した情報を用いて、音楽ａａａの出力中に画像ＣＣＣを出力してもよい。
【０１９７】
以上、本実施の形態によれば、記録媒体は、音楽が格納される音楽格納部１１１を具備し、音楽画像出力装置１は、音楽の出力指示を受け付け、出力指示に応じて、音楽を出力し、音楽の分析結果に基づく１以上の属性値を取得し、１以上の属性値を用いて、画像を取得し、画像を出力することにより、音楽の出力中に、当該音楽に応じた画像を出力できる。
【０１９８】
また、記録媒体は、ユーザに関するユーザ情報が格納されるユーザ情報格納部１１３をさらに具備し、音楽画像出力装置１は、１以上の属性値とユーザ情報とを用いて、画像を取得することにより、音楽の出力中に、当該音楽に応じ、かつユーザ情報にも応じた画像を出力できる。
【０１９９】
また、記録媒体は、出力する画像を切り替える切替条件が格納される条件格納部１１４をさらに具備し、音楽画像出力装置１は、切替条件を満たすか否かを判断し、切替条件を満たすと判断した場合に、新たな画像を取得し、新たな画像を出力することにより、音楽および当該音楽に応じた画像の出力中に、切替条件を満たしたことに応じて、当該画像を当該音楽に応じた新たな画像に切り替えて出力することができる。
【０２００】
また、音楽画像出力装置１は、音楽の１以上の特徴量を取得し、１以上の特徴量を用いて、音楽の中の１以上の変化点を決定し、音楽の変化点の出力時に新たな画像を出力することにより、音楽および当該音楽に応じた画像の出力中に、当該音楽が変化したことに応じて、当該画像を変化後の音楽に応じた新たな画像に切り替えて出力することができる。
【０２０１】
また、音楽画像出力装置１は、一の音楽の出力中に、２以上の異なる画像であり、連続して再生する画像間の予め決められた連続再生条件を満たす２以上の異なる画像を取得することにより、音楽および当該音楽に応じた画像の出力中に、切替条件を満たしたことに応じて、当該画像を、当該画像との間で連続再生条件を満たす新たな画像に切り替えることができる。
【０２０２】
また、音楽は歌詞を有する、または歌詞に対応付いており、音楽画像出力装置１は、音楽の音および歌詞を分析し、１以上の属性値を取得することにより、１以上の属性値を用いて、音楽の出力中に、当該音楽に応じた画像を出力できる。
【０２０３】
また、音楽画像出力装置１は、音楽を分析し、表面的場面を識別する情報、内面的場面を識別する情報、印象を識別する情報のうちのいずれかである１以上のメタデータを取得することにより、メタデータを用いて、音楽の出力中に、当該音楽に応じた画像を出力できる。
【０２０４】
また、音楽画像出力装置１は、ユーザからの反応を示す反応情報を受け付け、反応情報が肯定的である場合は反応情報に対する音楽または画像のうちの１以上が出力されやすくなるように学習し、反応情報が否定的である場合は反応情報に対する音楽または画像のうちの１以上が出力されにくくなるように学習し、学習結果に応じて、音楽または画像を出力することにより、学習の結果を用いて、音楽の出力中に、当該音楽により応じた画像であり、かつユーザにもより応じた画像を出力できる。
【０２０５】
また、音楽画像出力装置１は、受け付けた２以上の反応情報に基づいて、１以上の音楽と画像との組の情報を選択し、選択した１以上の音楽と画像との組の情報を１以上のユーザ端末に送信することにより、ユーザの反応が良い音楽および画像の組を他のユーザに推薦できる。
【０２０６】
また、音楽画像出力装置１は、１以上の属性値を用いて、画像の切り替え時のエフェクトを決定し、決定したエフェクトに従って、前の画像を終了し、新しい画像の出力を開始することにより、音楽および当該音楽に応じた画像の出力中に、切替条件を満たしたことに応じて、当該画像を当該音楽に応じた新たな画像に切り替えて出力する際に、当該画像の末尾および新たな画像の先頭に、音楽に応じたエフェクトを加えることができる。
【０２０７】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。
【０２０８】
なお、本実施の形態における情報処理装置１を実現するソフトウェアは、例えば、以下のようなプログラムである。つまり、コンピュータがアクセス可能な記録媒体は、音楽が格納される音楽格納部１１１を具備し、このプログラムは、コンピュータを、音楽の出力指示を受け付ける出力指示受付部１２１と、出力指示に応じて、音楽を出力する音楽出力部１４１と、音楽の分析結果に基づく１以上の属性値を取得する属性値取得部１３２と、１以上の属性値を用いて、画像を取得する画像取得部１３４と、画像を出力する画像出力部１４２として機能させるためのプログラムである。
【０２０９】
図７は、本実施の形態におけるプログラムを実行して、音楽画像出力装置１を実現するコンピュータシステム９００の外観図である。本実施の形態は、コンピュータハードウェアおよびその上で実行されるコンピュータプログラムによって実現され得る。図７において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２１０】
図８は、コンピュータシステム９００の内部構成の一例を示す図である。図８において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２１１】
コンピュータシステム９００に、音楽画像出力装置１の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２１２】
プログラムは、コンピュータの詳細を示す９０１に、音楽画像出力装置１の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２１３】
なお、上述したコンピュータシステム９００は、サーバまたは据え置き型のＰＣであるが、音楽画像出力装置１は、例えば、タブレット端末やスマートフォンやノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることは好適である。図示しないユーザ端末も、基本的なハードウェア構成は、ＰＣや携帯端末と同様でよい。ただし、以上は例示であり、音楽画像出力装置１等を実現するコンピュータのハードウェア構成は問わない。
【０２１４】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２１５】
また、上記プログラムを実行するコンピュータは、単数であってもよく、複数であってもよい。すなわち、集中処理を行ってもよく、あるいは分散処理を行ってもよい。
【０２１６】
また、上記各実施の形態において、一の装置に存在する２以上の通信手段（受付部１２の通信手段、出力部１４の通信手段など）は、物理的に一の媒体で実現されてもよいことは言うまでもない。
【０２１７】
また、上記各実施の形態において、各処理（各機能）は、単一の装置（システム）によって集中処理されることによって実現されてもよく、あるいは、複数の装置によって分散処理されることによって実現されてもよい。
【０２１８】
本発明は、以上の実施の形態に限定されることなく、種々の変更が可能であり、それらも本発明の範囲内に包含されるものであることは言うまでもない。
【産業上の利用可能性】
【０２１９】
以上のように、本発明にかかる音楽画像出力装置は、楽曲の出力中に、当該音楽に応じた画像を出力できるという効果を有し、音楽画像出力装置等として有用である。
【符号の説明】
【０２２０】
１  音楽画像出力装置
１１  格納部
１２  受付部
１３  処理部
１４  出力部
１１１  音楽格納部
１１２  画像格納部
１１３  ユーザ情報格納部
１１４  条件格納部
１１５  エフェクト情報格納部
１２１  出力指示受付部
１２２  反応情報受付部
１３１  音楽取得部
１３２  属性値取得部
１３３  判断部
１３４  画像取得部
１３５  エフェクト決定部
１３６  学習部
１３７  選択部
１３８  推薦部
１４１  音楽出力部
１４２  画像出力部
１３３１  特徴量取得手段
１３３２  変化点決定手段
【図１】
2018136363.tif 000003
【図２】
2018136363.tif 000004
【図３】
2018136363.tif 000005
【図４】
2018136363.tif 000006
【図５】
2018136363.tif 000007
【図６】
2018136363.tif 000008
【図７】
2018136363.tif 000009
【図８】
2018136363.tif 000010